(57)【要約】【課題】シート状物を蓋体の表面側からのみ見ることができるだけでなく、蓋体を開けたときに蓋体の裏面側からも見ることができ、またシート状物を収容しないときには、中身の化粧料の色調などを、蓋体を開けることなく、外から確認することが可能な化粧料容器の蓋構造を提供する。【解決手段】化粧料を収納する容器本体２を開閉する蓋体３にその表面３ａから裏面３ｂに向かって形成された貫通窓４と、貫通窓４に装着された透明もしくは半透明のカバー板５と、貫通窓４に、カバー板５との間にシート状物Ｐを収容する隙間Ｓを形成しつつ着脱される透明もしくは半透明の塞ぎ板６とを備えた。カバー板５はレンズとしてもよい。【選択図】図２
2005040531.tif 000002
【特許請求の範囲】
【請求項１】
化粧料を収納する容器本体を開閉する蓋体にその表面から裏面に向かって形成された貫通窓と、該貫通窓に装着された透明もしくは半透明のカバー板と、上記貫通窓に、上記カバー板との間にシート状物を収容する隙間を形成しつつ着脱される透明もしくは半透明の塞ぎ板とを備えたことを特徴とする化粧料容器の蓋構造。
【請求項２】
前記カバー板がレンズであることを特徴とする請求項１に記載の化粧料容器の蓋構造。
【発明の詳細な説明】
【技術分野】
【０００１】
本発明は、シート状物を蓋体の表面側からのみ見ることができるだけでなく、蓋体を開けたときに蓋体の裏面側からも見ることができ、またシート状物を収容しないときには、中身の化粧料の色調などを、蓋体を開けることなく、外から確認することが可能な化粧料容器の蓋構造に関する。
【背景技術】
【０００２】
従来、蓋体における取り付け・取り外し操作が不要であって、簡単にシート状物の交換を行うことができるようにした化粧料容器として、例えば特許文献１〜３が知られている。
【０００３】
特許文献１は、コンパクト容器の蓋体が、その一辺部に本体容器へのヒンジ結合部を備える内蓋と、この内蓋との間に情報シートを封入する差し込み空間部を保持しつつ内蓋に重ね合わせて接合される透明又は半透明の天蓋とからなり、且つ蓋体が、差し込み空間部を開閉する係合突起や係合溝等からなる開閉手段を備え、封入される情報シートを交換することができるようになっている。
【０００４】
特許文献２は、蓋体を透明あるいは半透明の素材で形成し、蓋体と容器本体との間に、蓋体とその先端とを互いに接離すべくその基端が蓋体にヒンジ結合されて蓋体との間にシート状物を収容する保持プレートを設けるとともに、保持プレートと蓋体との間に保持プレートを蓋体に係脱自在に係止する係合凸部を設けて構成されている。
【０００５】
また特許文献３は、蓋体に、シート状物収納用隙間を隔てて蓋体を覆う透明もしくは半透明のカバーを固着し、シート状物収納用隙間に連通させて、当該隙間へシート状物を挿抜可能とする開口部を形成するとともに、シート状物収納用隙間内にシート状物を保持する保持部を設け、この保持部を、蓋体に可撓変形自在に設けられ、カバーとの間でシート状物を挟み込む弾性片としたものである。
【特許文献１】特開２００２−１０１９４９号公報
【特許文献２】特開２００２−３５５１１６号公報
【特許文献３】特開２００２−３５５１１７号公報
【発明の開示】
【発明が解決しようとする課題】
【０００６】
上記特許文献はいずれも、蓋体にシート状物を交換可能に収納として、蓋体の外から見える外観を使用者の好みに応じて変えることができるようにしたものであるが、このような構成を備える化粧料容器に関し、さらに工夫を凝らした、そしてまた便利な化粧料容器の案出が望まれていた。
【０００７】
本発明は上記従来の課題に鑑みて創案されたものであって、シート状物を蓋体の表面側からのみ見ることができるだけでなく、蓋体を開けたときに蓋体の裏面側からも見ることができ、またシート状物を収容しないときには、中身の化粧料の色調などを、蓋体を開けることなく、外から確認することが可能な化粧料容器の蓋構造を提供することを目的とする。
【課題を解決するための手段】
【０００８】
本発明にかかる化粧料容器の蓋構造は、化粧料を収納する容器本体を開閉する蓋体にその表面から裏面に向かって形成された貫通窓と、該貫通窓に装着された透明もしくは半透明のカバー板と、上記貫通窓に、上記カバー板との間にシート状物を収容する隙間を形成しつつ着脱される透明もしくは半透明の塞ぎ板とを備えたことを特徴とする。また、前記カバー板がレンズであることを特徴とする。
【発明の効果】
【０００９】
本発明にかかる化粧料容器の蓋構造にあっては、シート状物を蓋体の表面側からのみ見ることができるだけでなく、蓋体を開けたときに蓋体の裏面側からも見ることができ、またシート状物を収容しないときには、中身の化粧料の色調などを、蓋体を開けることなく、外から確認することができる。
【発明を実施するための最良の形態】
【００１０】
以下に、本発明にかかる化粧料容器の蓋構造の好適な一実施形態を、添付図面を参照して詳細に説明する。図１〜図４には本発明を適用した化粧料容器１が示されている。本実施形態にかかる化粧料容器１の蓋構造は基本的には、化粧料を収納する容器本体２を開閉する蓋体３にその表面３ａから裏面３ｂに向かって形成された貫通窓４と、貫通窓４に装着された透明もしくは半透明のカバー板５と、貫通窓４に、カバー板５との間にシート状物Ｐを収容する隙間Ｓを形成しつつ着脱される透明もしくは半透明の塞ぎ板６とを備えて構成される。
【００１１】
図示するように、化粧料容器１は、化粧料を収納する収納部２ａが形成された合成樹脂製の容器本体２と、この容器本体２の後端に、ヒンジブロック７を介してヒンジピン８により回動自在に連結されて容器本体２を開閉するとともに、容器本体２の前端にフック手段９を介して係脱自在に係合されて当該容器本体２を閉止状態に維持する合成樹脂製の蓋体３とから主に構成される。本実施形態にあっては、容器本体２に対しヒンジピン８で回動自在に連結されて開閉される蓋体３を例示しているが、蓋体３による容器本体２の開閉は螺合や径嵌合によるものであってもよいことはもちろんである。
【００１２】
図示例にあっては、蓋体３は平面外形輪郭が矩形状に形成されるとともに、この蓋体３には部分的に、具体的にはヒンジブロック７近傍に当該蓋体３をその表面３ａから裏面３ｂへ貫通させて、平面外形輪郭が矩形状の貫通窓４が形成される。この貫通窓４と蓋体３前端との間には、蓋体裏面３ｂに形成した凹部１０に嵌め込んで、鏡板１１が取り付けられる。貫通窓４は、蓋体３全体にわたって形成してもよく、またその平面外形輪郭も、円形や星形などさまざまに形成してよいことはもちろんである。
【００１３】
この貫通窓４には、蓋体３の表面３ａ側に面して、透明もしくは半透明の合成樹脂製のカバー板５が装着される。このカバー板５は、蓋体３にこれより貫通窓４内方へ突出させて形成した環状鍔部１２に係止され、接着などによって貫通窓４内に固定される。また貫通窓４には、蓋体３の裏面３ｂ側から透明もしくは半透明の合成樹脂製の塞ぎ板６が着脱される。貫通窓４は、蓋体３の裏面３ｂ側において、ヒンジブロック７に形成された凹溝１３と連通される。
【００１４】
塞ぎ板６は、その平面外形輪郭が貫通窓４に一致させて形成された板部６ａと、その一側縁から突出させて形成された蝶番部６ｂとから構成され、蝶番部６ｂに形成した回動突起６ｃが凹溝１３を介して当該凹溝１３内に形成された係止孔１４に装着されることで、蓋体３の裏面３ｂ側で当該蓋体３に対し回動自在に取り付けられ、これにより塞ぎ板６は、貫通窓４に対して着脱自在に装着される。本実施形態にあっては、蝶番部６ｂで回動させて塞ぎ板６を貫通窓４に着脱させる場合を例示しているが、螺合や径嵌合によって着脱させるようにしてもよいことはもちろんである。
【００１５】
また、貫通窓４の蓋体裏面３ｂ側には、その前縁部を部分的に切り欠く形態で指掛け部１５が形成されるとともに、塞ぎ板６には指掛け部１５に対応させて窪み部６ｄが形成され、指掛け部１５に手指を掛けることで貫通窓４に装着された塞ぎ板６を引き起こして離脱させることができるようになっている。
【００１６】
そして塞ぎ板６は貫通窓４の平面外形輪郭と一致させて形成されることから、貫通窓４を塞いだ状態では環状鍔部１２に当接され、したがって、カバー板５と貫通窓４に装着された塞ぎ板６との間には、環状鍔部１２の厚さに相当する隙間Ｓが形成され、この隙間Ｓには、使用者が好みのシート状物Ｐ、例えば写真などを収容したり、加飾シートなどを予め収容しておくことができるようになっている。
【００１７】
本実施形態にかかる化粧料容器１の蓋構造の作用について説明すると、化粧にあたっては通常通り、フック手段９の係合を外して蓋体３をヒンジピン８周りに回動させれば化粧料を露出させることができて化粧することができ、また蓋体３を閉じてフック手段９を係合させれば容器本体２を閉止することができる。
【００１８】
他方、隙間Ｓに写真や加飾シートなどのシート状物Ｐを収容する場合には、蓋体３を開いた状態で指掛け部１５に手指を掛けて塞ぎ板６を引き上げると、塞ぎ板６は蝶番部６ｂを介して回動されて、当該塞ぎ板６とカバー板５との間の隙間Ｓを開放することができ、隙間Ｓにシート状物Ｐを納めることができる。その後、塞ぎ板６を貫通窓４内に嵌め込めば、シート状物Ｐをカバー板５と塞ぎ板６との間に保持させることができる。
【００１９】
特に本実施形態にあっては、蓋体３に貫通窓４を形成し、この貫通窓４に透明もしくは半透明のカバー板５を装着するとともに、当該貫通窓４に、カバー板５との間にシート状物Ｐを収容する隙間Ｓを形成する透明もしくは半透明の塞ぎ板６を着脱するようにしたので、カバー板５を介して蓋体３の表面３ａ側からシート状物Ｐを見ることができるばかりでなく、蓋体３を開いたときには蓋体３の裏面３ｂ側からもシート状物Ｐを見ることができるとともに、また、塞ぎ板６が透明もしくは半透明であるので、隙間Ｓになにも収容しない場合には、カバー板５を介して蓋体３の外側からそのまま容器本体２の収納部２ａが透けて見えることになり、中身の化粧料の色調などを、蓋体３を開けることなく、外から確認することができる。
【００２０】
また、カバー板５は凸レンズとしてもよく、このようにすれば隙間Ｓに収容したシート状物Ｐを拡大して見せることができて、見易く便利である。
【図面の簡単な説明】
【００２１】
【図１】本発明にかかる化粧料容器の蓋構造の好適な一実施形態を示す化粧料容器の斜視図である。
【図２】図１の化粧料容器の側断面図である。
【図３】図１の化粧料容器に採用される蓋体の分解斜視図である。
【図４】図１の化粧料容器の蓋体に設けられた塞ぎ板の開放状態を示す要部拡大側断面図である。
【符号の説明】
【００２２】
１  化粧料容器                        ２  容器本体
３  蓋体                              ３ａ  蓋体の表面
３ｂ  蓋体の裏面                      ４  貫通窓
５  カバー板                          ６  塞ぎ板
Ｐ  シート状物                        Ｓ  隙間
【図１】
2005040531.tif 000003
【図２】
2005040531.tif 000004
【図３】
2005040531.tif 000005
【図４】
2005040531.tif 000006